(57)【要約】【課題】エンジンの燃焼抑制要求時に、着火時期を遅らせることができるようにする。【解決手段】エンジンの運転時において、該エンジンの燃焼抑制要求時に、所定当量比以上のリッチ混合気が少なくとも局所的に形成されるように、インジェクタ１４により燃焼室６内に燃料を噴射させるとともに、放電プラグ１３の電極１３ａ．１３ｂ間に上記リッチ混合気が存在している期間に、電極１３ａ，１３ｂ間で放電させて非平衡プラズマを生成することで、燃焼室６内での混合気の燃焼を抑制する物質である抑制種を生成する。【選択図】図８
2019203400.tif 000002
【特許請求の範囲】
【請求項１】
燃焼室が形成された気筒と、上記燃焼室内に臨むように配置され、電極間に電圧を印加することによる放電により上記燃焼室内にプラズマを生成するプラズマ生成手段と、上記燃焼室内に燃料を噴射する燃料噴射手段とを備え、上記燃料噴射手段により噴射された燃料によって形成される混合気を上記燃焼室内で燃焼させるエンジンの燃焼制御方法であって、
上記エンジンの運転時において、該エンジンの燃焼抑制要求時における制御として、
所定当量比以上のリッチ混合気が少なくとも局所的に形成されるように、上記燃料噴射手段により上記燃焼室内に燃料を噴射する燃料噴射工程と、
上記プラズマ生成手段により非平衡プラズマを生成することで、上記燃焼室内での混合気の燃焼を抑制する物質である抑制種を生成する抑制種生成工程とを含み、
上記抑制種生成工程は、上記プラズマ生成手段の上記電極間に上記リッチ混合気が存在している期間に、上記電極間で放電させて非平衡プラズマを生成することで、上記抑制種を生成する工程であることを特徴とするエンジンの燃焼制御方法。
【請求項２】
請求項１に記載のエンジンの燃焼制御方法において、
上記エンジンの燃焼抑制要求時は、該エンジンの運転状態が所定負荷以上の高負荷領域にあるときであることを特徴とするエンジンの燃焼制御方法。
【請求項３】
請求項１又は２に記載のエンジンの燃焼制御方法において、
上記所定当量比は、１〜１０であることを特徴とするエンジンの燃焼制御方法。
【請求項４】
請求項１〜３のいずれか１つに記載のエンジンの燃焼制御方法において、
上記燃料噴射工程は、上記プラズマ生成手段の上記電極間に上記リッチ混合気が偏在可能なように、上記燃焼室内に燃料を噴射する工程であることを特徴とするエンジンの燃焼制御方法。
【請求項５】
請求項４に記載のエンジンの燃焼制御方法において、
上記抑制種生成工程は、上記燃料噴射工程の終了後、圧縮行程後期において、上記プラズマ生成手段の上記電極間に上記リッチ混合気が偏在する時期に実行する工程であることを特徴とするエンジンの燃焼制御方法。
【請求項６】
請求項５に記載のエンジンの燃焼制御方法において、
上記抑制種生成工程よりも前に、圧縮行程後期において、上記プラズマ生成手段の上記電極間に上記リッチ混合気が偏在する時期を推定する偏在時期推定工程をさらに含むことを特徴とするエンジンの燃焼制御方法。
【請求項７】
請求項４に記載のエンジンの燃焼制御方法において、
上記プラズマ生成手段は、上記燃料噴射手段から噴射中の燃料が上記電極間を通るように、上記エンジンに配設されており、
上記抑制種生成工程は、上記燃料噴射工程において、上記燃料噴射手段から噴射中の燃料が上記電極間に位置している時期に実行する工程であることを特徴とするエンジンの燃焼制御方法。
【請求項８】
燃焼室が形成された気筒と、上記燃焼室内に燃料を噴射する燃料噴射手段とを備え、上記燃料噴射手段により噴射された燃料によって形成される混合気を上記燃焼室内で燃焼させるエンジンの燃焼制御装置であって、
上記燃焼室内に臨むように配置され、電極間に電圧を印加することによる放電により上記燃焼室内にプラズマを生成するプラズマ生成手段と、
上記燃料噴射手段及び上記プラズマ生成手段の作動を制御する制御手段とを更に備え、
上記制御手段は、上記エンジンの運転時において、該エンジンの燃焼抑制要求時における制御として、所定当量比以上のリッチ混合気が少なくとも局所的に形成されるように、上記燃料噴射手段により上記燃焼室内に燃料を噴射させる燃料噴射制御と、上記プラズマ生成手段により非平衡プラズマを生成することで、上記燃焼室内での混合気の燃焼を抑制する物質である抑制種を生成する抑制種生成制御とを実行可能に構成されており、
上記抑制種生成制御は、上記プラズマ生成手段の上記電極間に上記リッチ混合気が存在している期間に、上記電極間で放電させて非平衡プラズマを生成することで、上記抑制種を生成する制御であることを特徴とするエンジンの燃焼制御装置。
【請求項９】
請求項８に記載のエンジンの燃焼制御装置において、
上記制御手段は、上記エンジンの運転状態が所定負荷以上の高負荷領域にあるときに、上記エンジンの燃焼抑制要求時であるとして、上記抑制種生成制御を実行するように構成されていることを特徴とするエンジンの燃焼制御装置。
【請求項１０】
請求項８又は９に記載のエンジンの燃焼制御装置において、
上記所定当量比は、１〜１０であることを特徴とするエンジンの燃焼制御装置。
【請求項１１】
請求項８〜１０のいずれか１つに記載のエンジンの燃焼制御装置において、
上記制御手段は、上記燃料噴射制御において、上記プラズマ生成手段の上記電極間に上記リッチ混合気が偏在可能なように、上記燃焼室内に燃料を噴射させるように構成されていることを特徴とするエンジンの燃焼制御装置。
【請求項１２】
請求項１１に記載のエンジンの燃焼制御装置において、
上記制御手段は、上記燃料噴射制御の終了後、圧縮行程後期において、上記プラズマ生成手段の上記電極間に上記リッチ混合気が偏在する時期に上記抑制種生成制御を実行するように構成されていることを特徴とするエンジンの燃焼制御装置。
【請求項１３】
請求項１２に記載のエンジンの燃焼制御装置において、
上記制御手段は、圧縮行程後期において、上記プラズマ生成手段の上記電極間に上記リッチ混合気が偏在する時期を推定する偏在時期推定部を有し、
上記偏在時期推定部は、上記抑制種生成制御を実行するよりも前に、上記プラズマ生成手段の上記電極間に上記リッチ混合気が偏在する時期を推定するように構成されていることを特徴とするエンジンの燃焼制御装置。
【請求項１４】
請求項１１に記載のエンジンの燃焼制御装置において、
上記プラズマ生成手段は、上記燃料噴射手段から噴射中の燃料が上記電極間を通るように、上記エンジンに配設されており、
上記制御手段は、上記燃料噴射手段から噴射中の燃料が上記電極間に位置している時期に上記抑制種生成制御を実行するように構成されていることを特徴とするエンジンの燃焼制御装置。
【発明の詳細な説明】
【技術分野】
【０００１】
ここに開示された技術は、エンジンの燃焼制御方法及び燃焼制御装置に関する技術分野に属する。
【背景技術】
【０００２】
従来より、電極間に電圧を印加することにより燃焼室内にプラズマを生成するプラズマ生成手段を備えたエンジンが知られている。
【０００３】
例えば、特許文献１には、中心電極と接地電極との電極間に放電が生じる点火プラグ（プラズマ生成手段）と、中心電極を流れる電流を計測する第１電流計と、接地電極を流れる電流を計測する第２電流とを備え、電極間に低温プラズマ状態（非平衡プラズマ状態）を形成する短パルスの電界を発生される場合に、第１電流計で計測された電流値と第２電流計で計測された電流値との際から、電極間に流れる気体の流速を計測するエンジン（内燃機関）が開示されている。
【先行技術文献】
【特許文献】
【０００４】
【特許文献１】特開２０１４−１４１９１９号公報
【発明の概要】
【発明が解決しようとする課題】
【０００５】
ところで、本発明者らが鋭意研究したところ、プラズマ生成手段の電極間に、当量比の高いリッチ混合気が存在しているときに、上記電極間で放電させて非平衡プラズマを生成すると、混合気の着火及び燃焼を抑制する物質（以下、抑制種という）が生成されることが分かった。このことを利用すれば、エンジンの燃焼抑制要求時に、着火時期を遅くして、燃焼を緩慢にすることできることがと分かった。
【０００６】
ここに開示された技術は、斯かる点に鑑みてなされたものであり、その目的とするところは、エンジンの燃焼抑制要求時に、着火時期を遅らせることができるようにすることにある。
【課題を解決するための手段】
【０００７】
上記課題を解決するために、ここに開示された技術では、燃焼室が形成された気筒と、上記燃焼室内に臨むように配置され、電極間に電圧を印加することによる放電により上記燃焼室内にプラズマを生成するプラズマ生成手段と、上記燃焼室内に燃料を噴射する燃料噴射手段とを備え、上記燃料噴射手段により噴射された燃料によって形成される混合気を上記燃焼室内で燃焼させるエンジンの燃焼制御方法を対象にして、上記エンジンの運転時において、該エンジンの燃焼抑制要求時における制御として、所定当量比以上のリッチ混合気が少なくとも局所的に形成されるように、上記燃料噴射手段により上記燃焼室内に燃料を噴射する燃料噴射工程と、上記プラズマ生成手段により非平衡プラズマを生成することで、上記燃焼室内での混合気の燃焼を抑制する物質である抑制種を生成する抑制種生成工程とを含み、上記抑制種生成工程は、上記プラズマ生成手段の上記電極間に上記リッチ混合気が存在している期間に、上記電極間で放電させて非平衡プラズマを生成することで、上記抑制種を生成する工程である、ものとした。
【０００８】
この構成によると、プラズマ生成手段の電極間に上記リッチ混合気が存在している期間に非平衡プラズマを生成するため、効率良く上記抑制種を生成することができる。これにより、上記抑制種によって、エンジンの燃焼抑制要求時に、着火時期を遅らせることができる。
【０００９】
上記エンジンの燃焼制御方法において、上記エンジンの燃焼抑制要求時は、該エンジンの運転状態が所定負荷以上の高負荷領域にあるときであってもよい。
【００１０】
すなわち、エンジンの運転状態が高負荷領域であるときは、ノッキングのような異常燃焼が生じやすい。このため、着火時期を遅らせて、燃焼を緩慢にすることが望まれる。そこで、エンジンの運転状態が高負荷領域にあるときには、上記抑制種を生成して、着火時期を遅くすることの効果をより適切に発揮することができる。
【００１１】
上記エンジンの燃焼制御方法において、上記所定当量比は、１〜１０である、ことが好ましい。
【００１２】
すなわち、上記抑制種の１つに、ホルムアルデヒド（ＣＨ２Ｏ）があるが、これは、燃料を構成するＨＣを基に生成される。よって、上記所定当量比が１〜１０と比較的高ければ、上記抑制種としてのホルムアルデヒドを効率良く生成することができる。これにより、エンジンの燃焼抑制要求時に、より効率的に着火時期を遅らせることができる。
【００１３】
上記エンジンの燃焼制御方法の一実施形態では、上記燃料噴射工程は、上記プラズマ生成手段の上記電極間に上記リッチ混合気が偏在可能なように、上記燃焼室内に燃料を噴射する工程であってもよい。
【００１４】
この構成によると、プラズマ生成手段の電極間にリッチ混合気を偏在させることが可能であるため、上記抑制種を効率的に生成することができる。これにより、エンジンの燃焼抑制要求時に、一層効率的に着火時期を遅らせることができる。
【００１５】
上記エンジンの燃焼制御方法の上記一実施形態において、上記抑制種生成工程は、上記燃料噴射工程の終了後、圧縮行程後期において、上記プラズマ生成手段の上記電極間に上記リッチ混合気が偏在する時期に実行する工程であってもよい。
【００１６】
この構成によると、プラズマ生成手段の電極間にリッチ混合気が偏在する時期に、非平衡プラズマを生成するため、上記抑制種をより効率的に生成することができる。これにより、エンジンの燃焼抑制要求時に、より一層効率的に着火時期を遅らせることができる。
【００１７】
上記プラズマ生成手段の上記電極間に上記リッチ混合気が偏在する時期に上記抑制種生成工程を実行する上記一実施形態において、上記抑制種生成工程よりも前に、圧縮行程後期において、上記プラズマ生成手段の上記電極間に上記リッチ混合気が偏在する時期を推定する偏在時期推定工程をさらに含んでもよい。
【００１８】
この構成によると、プラズマ生成手段の電極間にリッチ混合気が偏在する時期を予め推定することで、一層効率良く上記抑制種を生成することができる。これにより、エンジンの燃焼抑制要求時に、さらに効率的に着火時期を遅らせることができる。
【００１９】
上記エンジンの燃焼制御方法の上記一実施形態において、上記プラズマ生成手段は、上記燃料噴射手段から噴射中の燃料が上記電極間を通るように、上記エンジンに配設されており、上記抑制種生成工程は、上記燃料噴射工程において、上記燃料噴射手段から噴射中の燃料が上記電極間に位置している時期に実行する工程であってもよい。
【００２０】
すなわち、燃料噴射手段から噴射中の燃料が電極間を通る時期であれば、電極間に存在する混合気はかなりリッチな状態になっている。このため、燃料噴射手段から噴射中の燃料が電極間を通る時期に非平衡プラズマを生成することで、上記抑制種を効率的に生成することができる。これにより、エンジンの燃焼抑制要求時に、より一層効率的に着火時期を遅らせることができる。
【００２１】
本開示に係る技術の別の態様は、上記エンジンの燃焼制御装置に係る技術である。具体的には、燃焼室が形成された気筒と、上記燃焼室内に燃料を噴射する燃料噴射手段とを備え、上記燃料噴射手段により噴射された燃料によって形成される混合気を上記燃焼室内で燃焼させるエンジンの燃焼制御装置を対象にして、上記燃焼室内に臨むように配置され、電極間に電圧を印加することによる放電により上記燃焼室内にプラズマを生成するプラズマ生成手段と、上記燃料噴射手段及び上記プラズマ生成手段の作動を制御する制御手段とを更に備え、上記制御手段は、上記エンジンの運転時において、該エンジンの燃焼抑制要求時における制御として、所定当量比以上のリッチ混合気が少なくとも局所的に形成されるように、上記燃料噴射手段により上記燃焼室内に燃料を噴射させる燃料噴射制御と、上記プラズマ生成手段により非平衡プラズマを生成することで、上記燃焼室内での混合気の燃焼を抑制する物質である抑制種を生成する抑制種生成制御とを実行可能に構成されており、上記抑制種生成制御は、上記プラズマ生成手段の上記電極間に上記リッチ混合気が存在している期間に、上記電極間で放電させて非平衡プラズマを生成することで、上記抑制種を生成する制御である、ものとした。
【００２２】
この構成でも、効率良く上記抑制種を生成することにより、エンジンの燃焼抑制要求時に、着火時期を遅らせることができる。
【００２３】
上記エンジンの燃焼制御装置において、上記制御手段は、上記エンジンの運転状態が所定負荷以上の高負荷領域にあるときに、上記エンジンの燃焼抑制要求時であるとして、上記抑制種生成制御を実行するように構成されていてもよい。
【００２４】
この構成によると、エンジンの運転状態が高負荷領域にあるときに、上記抑制種を生成して、着火時期を遅くすることの効果をより適切に発揮することができる。
【００２５】
上記エンジンの燃焼制御装置において、上記所定当量比は、１〜１０である、ことが好ましい。
【００２６】
すなわち、燃料を構成するＨＣを基に生成される上記抑制種を効率的に生成することができる。これにより、エンジンの燃焼抑制要求時に、より効率的に着火時期を遅らせることができる。
【００２７】
上記エンジンの燃焼制御装置の一実施形態では、上記制御手段は、上記燃料噴射制御において、上記プラズマ生成手段の上記電極間に上記リッチ混合気が偏在可能なように、上記燃焼室内に燃料を噴射させるように構成されている。
【００２８】
この構成によると、上記抑制種を効率的に生成することができる。この結果、エンジンの燃焼抑制要求時に、一層効率的に着火時期を遅らせることができる。
【００２９】
上記エンジンの燃焼制御装置の一実施形態において、上記制御手段は、上記燃料噴射制御の終了後、圧縮行程後期において、上記プラズマ生成手段の上記電極間に上記リッチ混合気が偏在する時期に上記抑制種生成制御を実行するように構成されていてもよい。
【００３０】
この構成によると、上記抑制種をより効率的に生成することができる。この結果、エンジンの燃焼抑制要求時に、より一層効率的に着火時期を遅らせることができる。
【００３１】
上記プラズマ生成手段の上記電極間に上記リッチ混合気が偏在する時期に上記抑制種生成制御を実行する上記一実施形態において、上記制御手段は、圧縮行程後期において、上記プラズマ生成手段の上記電極間に上記リッチ混合気が偏在する時期を推定する偏在時期推定部を有し、上記偏在時期推定部は、上記抑制種生成制御を実行するよりも前に、上記プラズマ生成手段の上記電極間に上記リッチ混合気が偏在する時期を推定するように構成されていてもよい。
【００３２】
この構成によると、一層効率良く上記抑制種を生成することができる。この結果、エンジンの燃焼抑制要求時に、さらに効率的に着火時期を遅らせることができる。
【００３３】
上記エンジンの燃焼制御装置の一実施形態において、上記プラズマ生成手段は、上記燃料噴射手段から噴射中の燃料が上記電極間を通るように、上記エンジンに配設されており、上記制御手段は、上記燃料噴射手段から噴射中の燃料が上記電極間に位置している時期に上記抑制種生成制御を実行するように構成されていてもよい。
【００３４】
この構成によると、上記抑制種を効率的に生成することができる。この結果、エンジンの燃焼抑制要求時に、より一層効率的に着火時期を遅らせることができる。
【発明の効果】
【００３５】
以上説明したように、ここに開示された技術によると、プラズマ生成手段の電極間に所定当量比以上のリッチ混合気が存在している期間に非平衡プラズマを生成して、燃焼室内での混合気の燃焼を抑制する物質である抑制種を効率良く生成することができ、この結果、生成された上記抑制種によって、エンジンの燃焼抑制要求時に、着火時期を遅らせることができる。
【図面の簡単な説明】
【００３６】
【図１】実施形態１に係る燃焼制御装置が適用されたエンジンシステムの概略構成図である。
【図２】放電プラグの電極周辺を示す概略図である。
【図３】エンジンの制御系統を示すブロック図である。
【図４】非平衡プラズマの生成条件を示すマップである。
【図５】非平衡プラズマを生成する際のパルス電圧の波形の一例を示すグラフである。
【図６】高負荷領域における放電態様及び燃料噴射態様の一例を示す図である。
【図７】燃料噴射時における、燃焼室内のリッチ混合気の分布を示す図である。
【図８】圧縮後期における、燃焼室内のリッチ混合気の分布を示す図である。
【図９】抑制種生成制御を実行する際のＰＣＭの処理動作を示すフローチャートである。
【図１０】抑制種生成制御を実行した場合の熱発生の履歴の一例を概略的に示す図である。
【図１１】実施形態２に係る燃焼制御装置が適用されたエンジンにおける、放電プラグとインジェクタとの位置関係を示す概略図である。
【図１２】実施形態２のエンジンの制御系統を示すブロック図である。
【図１３】実施形態２の、高負荷領域における放電態様及び燃料噴射態様の一例を示す図である。
【図１４】実施形態２において、抑制種生成制御を実行する際のＰＣＭの処理動作を示すフローチャートである。
【図１５】放電プラグの電極間の混合気の空燃比を計測するためのマップである。
【発明を実施するための形態】
【００３７】
以下、例示的な実施形態について、図面を参照しながら詳細に説明する。
【００３８】
（実施形態１）
図１には、実施形態１に係る燃焼制御装置が適用されたエンジン１の構成を示す。本実施形態のエンジン１は車両の搭載されるエンジンである。このエンジン１は、エンジン本体１ａと、エンジン本体１ａに燃焼用の空気を導入するための吸気通路２０と、エンジン本体１ａで生成された排気を排出するための排気通路３０とを備える。
【００３９】
エンジン本体１ａは、直列４気筒式であって、４つの気筒２が図１の紙面と直交する方向に直列に配置されている。エンジン本体１ａは上記車両の駆動源として利用される。
【００４０】
エンジン本体１ａは、気筒２が内部に形成されたシリンダブロック３と、シリンダブロック３の上面に設けられたシリンダヘッド４と、気筒２に往復動（ここでは上下動）可能に嵌装されたピストン５とを有する。
【００４１】
気筒２は燃焼室６が形成された気筒である。詳しくは、気筒２内におけるピストン５の上方に燃焼室６が形成されている。燃焼室６はいわゆるペントルーフ型であり、シリンダヘッド４の下面で構成される燃焼室６の天井面は吸気側および排気側の２つの傾斜面からなる三角屋根状をなしている。この燃焼室６内では、エンジン１の燃焼サイクル、すなわち、吸気行程、圧縮行程、膨張行程及び排気行程の各行程がこの順で繰り返される。以下の説明では、ピストン５の位置や混合気の燃焼状態によらず気筒２の内側空間のうちピストン５の上面と燃焼室６の天井面との間に形成される空間を燃焼室６という。
【００４２】
シリンダブロック３における気筒２の周囲には、エンジン冷却水が流通するウォータジャケット３ａが形成されている。ウォータジャケット３ａは、４つの気筒２を囲むように、シリンダブロック３内に形成されている。
【００４３】
ピストン５は、シリンダブロック３内においてコンロッド８を介してクランクシャフト７と連結されている。クランクシャフト７は、ピストン５の往復動により回転駆動される。ピストン５の上面には、その中心部を含む領域をシリンダヘッド４とは反対側（下方）に凹ませたキャビティ５ａ（図７等参照）が形成されている。
【００４４】
エンジン本体１ａの幾何学的圧縮比、つまり、ピストン５が下死点にあるときの燃焼室６の容積とピストン５が上死点にあるときの燃焼室６の容積との比は、本実施形態では１５以上、特に、１５〜２５（例えば１７程度）に設定されている。
【００４５】
シリンダヘッド４には、吸気通路２０から供給される空気を気筒２（燃焼室６）内に導入するための吸気ポート９と、燃焼室６内で、燃料と空気との混合気が燃焼することにより生成された排気を排気通路３０に導出するための排気ポート１０とが形成されている。これら吸気ポート９と排気ポート１０とは、気筒２毎にそれぞれ２つずつ形成されている。
【００４６】
シリンダヘッド４には、各吸気ポート９の燃焼室６側の開口をそれぞれ開閉する吸気弁１１と、各排気ポート１０の燃焼室６側の開口をそれぞれ開閉する排気弁１２とが設けられている。
【００４７】
シリンダヘッド４には、燃焼室６内に燃料を噴射するインジェクタ（燃料噴射手段）１４が設けられている。インジェクタ１４は、噴射口が形成された先端部が燃焼室６の天井面の中央付近に位置して燃焼室６の中央を臨むように取り付けられている。インジェクタ１４は、その先端に複数の噴口を有し、燃焼室の天井面の中央付近からピストン５の冠面に向かって燃料を噴射するように構成されている。
【００４８】
インジェクタ１４は、不図示の高圧ポンプから圧送された燃料を燃焼室６内に噴射する。インジェクタ１４の噴射圧は、最大で７０ＭＰａ程度まで高められる。
【００４９】
シリンダヘッド４には、燃焼室６内に臨むように配設されかつ該燃焼室６内にプラズマを生成するための放電プラグ１３が設けられている。図２に示すように、放電プラグ１３の先端には中心電極１３ａと接地電極１３ｂとが形成されている。中心電極１３ａは、棒状をなしていて、先端を除く部分は碍子１３ｃによって覆われている。接地電極１３ｂは中心電極１３ａと同心の円筒状をなしている。中心電極１３ａは電源（図示省略）に接続されており、該電源から電圧が印加されると、中心電極１３ａと接地電極１３ｂとの間で放電するようになっている。そして、中心電極１３ａと接地電極１３ｂとの間で放電したときには、放電のエネルギーにより、燃焼室６内にプラズマが生成される。このことから、放電プラグ１３は、電極１３ａ，１３ｂ間に電圧を印加することによる放電により燃焼室６内にプラズマを生成するプラズマ生成手段に相当する。
【００５０】
上記吸気通路２０には、上流側から順に、エアクリーナ２１と、吸気通路２０を開閉するためのスロットルバルブ２２とが設けられている。本実施形態では、エンジン１の運転中、スロットルバルブ２２は基本的に全開もしくはこれに近い開度に維持されており、エンジン１の停止時等の限られた運転条件のときにのみ閉弁されて吸気通路２０を遮断する。
【００５１】
上記排気通路３０には、排気を浄化するための浄化装置３１が設けられている。浄化装置３１は、例えば、三元触媒を内蔵している。
【００５２】
排気通路３０には、排気通路３０を通過する排気の一部をＥＧＲガスとして吸気通路２０に還流するためのＥＧＲ装置４０が設けられている。ＥＧＲ装置４０は、吸気通路２０のうちスロットルバルブ２２よりも下流側の部分と排気通路３０のうち浄化装置３１よりも上流側の部分とを連通するＥＧＲ通路４１、および、ＥＧＲ通路４１を開閉するＥＧＲバルブ４２を有する。
【００５３】
尚、本実施形態に係るエンジン１は、過給機を備えていない。但し、本開示に係る技術は、過給機を備えたエンジンに適用することを排除しない。
【００５４】
図３は、エンジン１の制御系統を示す。本実施形態１に係るエンジン１は、制御装置としてのパワートレイン・コントロール・モジュール１００（以下、ＰＣＭ１００という）によって統括的に制御される。ＰＣＭ１００は、ＣＰＵ、メモリ、カウンタタイマ群、インターフェース及びこれらのユニットを接続するパスを有するマイクロプロセッサで構成されている。
【００５５】
車両には各種センサが設けられている。ＰＣＭ１００はこれらセンサと電気的に接続されており、ＰＣＭ１００には、各センサからの検出信号が入力される。例えば、エンジン１には、エンジン本体１ａの温度を検出するエンジン温度センサＳＮ１と、吸気通路２０に流入する吸気流量を検出するエアフローセンサＳＮ２と、燃焼室６に供給される吸気の圧力を検出する吸気圧センサＳＮ３と、クランクシャフト７の回転角度を検出するクランク角センサＳＮ４と、運転者により操作される不図示のアクセルペダルの開度（アクセル開度）を検出するアクセル開度センサＳＮ５と、各気筒２にそれぞれ１つずつ設けられ、各気筒２内の圧力をそれぞれ検出する筒内圧センサＳＮ６が設けられている。
【００５６】
エンジン温度センサＳＮ１は、例えば、ウォータジャケット３ａを流通するエンジン冷却水の温度を検出することで、エンジン本体１ａの温度を検出する。尚、エンジン温度センサＳＮ１は、排気温度を検出することで、エンジン本体１ａの温度を検出するセンサであってもよく、エンジンオイルの油温を検出することで、エンジン本体１ａの温度を検出するセンサであってもよい。
【００５７】
ＰＣＭ１００は、クランク角センサＳＮ４の検出結果からエンジン本体１ａの回転数（エンジン回転数）を算出する。ＰＣＭ１００は、アクセル開度センサＳＮ５の検出結果からエンジン負荷を算出する。ＰＣＭ１００は、筒内圧センサＳＮ６の検出結果から、燃焼室６内の熱発生率を算出する。
【００５８】
ＰＣＭ１００は、これらセンサＳＮ１〜ＳＮ６等からの入力信号に基づいて種々の演算を実行して、放電プラグ１３、インジェクタ１４、スロットルバルブ２２、ＥＧＲバルブ４２等のエンジン１の各部を制御する。
【００５９】
ＰＣＭ１００は、放電プラグ１３の電極１３ａ，１３ｂ間に、所定当量比以上の混合気（以下、リッチ混合気という）が偏在する時期を推定する偏在時期推定部１０１を有している。
【００６０】
〈非平衡プラズマの生成〉
本実施形態では、エンジン１の燃焼サイクルにおいて、非平衡プラズマを生成することにより、エンジン１の燃焼状態を制御するようにしている（制御の詳細については後述する）。尚、非平衡プラズマとは、燃焼室６内のガス温度の上昇を伴わず、燃焼室６内の電子と、燃焼室６内のガスのイオンや分子とが熱平衡状態にないプラズマのことをいう。
【００６１】
本実施形態では、非平衡プラズマは、放電プラグ１３の電極１３ａ，１３ｂ間に印加するパルス電圧を制御することにより、特に、パルス電圧のパルス幅を制御することにより生成する。図４及び図５は、非平衡プラズマの生成条件を示す。図４の横軸はパルス幅であり、対数スケールで示している。一方、図４の縦軸は印加電圧のピーク値であり、対数スケールで示している。図４に示すように、パルス幅を短くすると（０．０１μｓｅｃ以上かつ１μｓｅｃ未満にすると）非平衡プラズマが生成され、パルス幅を長くすると（１μｓｅｃ以上にすると）熱平衡プラズマが生成されることが分かる。これは、パルス幅の短いパルス電圧では、電子のみが反応して、イオンや分子はほとんど反応しないためである。
【００６２】
本実施形態では、図５に示すように、基本的には、ピーク電圧が１０ｋＶ、パルス幅が０．１μｓｅｃのパルス電圧を、放電プラグ１３の電極１３ａ，１３ｂ間に印加して、非平衡プラズマを生成する。また、ＰＣＭ１００は、非平衡プラズマを生成する際には、上記のパルス電圧を１００ｋＨｚの周波数で繰り返し放電させる。
【００６３】
尚、非平衡プラズマを生成する際のパルス電圧におけるピーク電圧は、筒内圧等に基づいて１ｋＶ〜３０ｋＶの範囲で変更してもよい。詳しくは、筒内圧が高いほど、ピーク電圧を高く設定してもよい。
【００６４】
燃焼室６内で非平衡プラズマを生成すると、放電プラグ１３の電極１３ａ，１３ｂの周辺の状態に応じて、種々の物質が生成される。例えば、電極１３ａ，１３ｂの周辺が、当量比が小さいリーンな状態であった場合には、非平衡プラズマを生成すると、オゾン（Ｏ３）やＯＨ等の、燃焼室６内での混合気の燃焼を促進させる物質である活性種が生成される。一方で、電極１３ａ，１３ｂの周辺が、当量比が大きいリッチな状態であった場合には、燃料を基にして、ホルムアルデヒド（ＣＨ２Ｏ）や水（Ｈ２Ｏ）等の、燃焼室６内での混合気の燃焼を抑制させる物質である抑制種が生成される。
【００６５】
〈燃焼制御〉
本実施形態では、エンジン１の全運転領域において、圧縮着火燃焼（ＣＩ燃焼）が実施される。具体的には、圧縮上死点よりも前にインジェクタ１４から燃焼室６内に燃料が噴射され、この燃料と空気との混合気を燃焼室６内で圧縮することで昇温させ、圧縮上死点付近で混合気を自着火させる。
【００６６】
ここで、エンジン１の運転状態が、エンジン負荷が所定負荷以上の高負荷であるときには、燃焼室６内が高温状態になるため、ノッキングのような異常燃焼が生じ易い。特に、本実施形態１のエンジン本体１ａは、幾何学的圧縮比が１５以上と比較的高いため、ノッキングが生じ易い。ノッキングのような異常燃焼は、燃焼騒音の増大やピストン等の損傷の原因となる。このため、エンジン１の運転状態が高負荷領域にあるときには、異常燃焼を抑制するために、燃焼を抑制することが求められる。尚、上記所定負荷は、ノッキングのような異常燃焼が生じる可能性のある負荷の下限値である。
【００６７】
そこで、本実施形態１では、ＰＣＭ１００は、エンジン１の運転時において、エンジン１の運転状態が上記所定負荷以上の高負荷領域であるようなエンジン１の燃焼抑制要求時に、放電プラグ１３により非平衡プラズマを生成することで、燃焼室６内での混合気の燃焼を抑制する物質である抑制種を生成させる。より詳しくは、ＰＣＭ１００は、所定当量比以上の上記リッチ混合気が少なくとも局所的に形成されるように、インジェクタ１４により燃焼室６内に燃料を噴射させる燃料噴射制御を実行するとともに、放電プラグ１３の電極１３ａ，１３ｂ間に上記リッチ混合気が存在している期間に、電極１３ａ，１３ｂ間で放電させて非平衡プラズマを生成して、上記抑制種を生成する抑制種生成制御を実行する。尚、上記所定当量比は、非平衡プラズマを生成した際に、上記活性種よりも上記抑制種が多く生成されるような当量比であり、例えば、１〜１０である。
【００６８】
図６は、エンジン１の運転状態が高負荷領域であるときの放電態様及び燃料噴射態様の一例を示している。図６では、圧縮上死点のクランク角を０°としており、これに対して進角側（圧縮上死点よりも早い時期）をマイナスで表し、遅角側（圧縮上死点よりも遅い時期）をプラスで表している。図６において、吸気行程は−３６０°〜−１８０°の期間であり、圧縮行程は、−１８０°〜０°の期間である。また、各行程の前期及び後期とは、各行程の実施期間（クランク角度での期間）を均等に２分割したときの、前半の期間が前期に相当し、後半の期間がそれぞれ後期に相当する。
【００６９】
高負荷領域では、図６に示すように、ＰＣＭ１００は、吸気行程中にインジェクタ１４から燃料を噴射する。そして、圧縮行程後期において、放電プラグ１３の電極１３ａ，１３ｂ間に上記リッチ混合気が存在している期間（クランク角期間）に、上記抑制種生成制御を実行して、上記抑制種を燃焼室６内に生成する。
【００７０】
図７は、吸気行程における燃焼噴射時の燃焼室６内のリッチ混合気の分布を示す。吸気行程前期でインジェクタ１４から噴射された燃料は、ピストン５のキャビティ５ａ内に向かって飛翔し、キャビティ５ａ周辺に偏在する。キャビティ５ａ周辺に偏在する燃料は、空気（新気）やＥＧＲガスと混じり合うことにより、キャビティ５ａ周辺にリッチ混合気層５１を形成する。吸気行程が進んで、ピストン５が下降したとしても、上記リッチ混合気は比重が大きいので、燃焼室６の下側に集まる。
【００７１】
上記燃料噴射制御の終了後、圧縮行程に入り、ピストン５が上昇すると、ピストン５の上昇流と吸気の噴き戻しとによって、図８に示すように、上記リッチ混合気が上昇する。これにより、圧縮行程後期において、リッチ混合気層５１が放電プラグ１３の電極１３ａ，１３ｂ周辺に位置するようになって、電極１３ａ，１３ｂ間に上記リッチ混合気が偏在するようになる。このことから、ＰＣＭ１００は、上記燃料噴射制御において、放電プラグ１３の電極１３ａ，１３ｂ間に上記リッチ混合気が偏在可能なように、燃焼室６内に燃料を噴射させている。
【００７２】
そして、ＰＣＭ１００は、上記のように、ピストン５の上昇流と吸気の噴き戻しとによって、放電プラグ１３の電極１３ａ，１３ｂ間に上記リッチ混合気が偏在する時期に、該電極１３ａ，１３ｂ間で放電させ、非平衡プラズマを生成させて、上記抑制種を生成する。本実施形態１では、電極１３ａ，１３ｂ間に上記リッチ混合気が偏在する時期については、偏在時期推定部１０１により推定する。この偏在時期推定部１０１には、予め実験やシミュレーションにより求められた、圧縮行程後期において、電極１３ａ，１３ｂ間に上記リッチ混合気が偏在する時期を求めるためのマップや計算式が記憶されている。偏在時期推定部１０１は、エンジン負荷やエンジン回転数などのパラメータに基づいて、上記マップや上記計算式により、圧縮行程後期において、電極１３ａ，１３ｂ間に上記リッチ混合気が偏在する時期を推定する。偏在時期推定部１０１による上記リッチ混合気の上記偏在時期の推定は、上記抑制種生成制御を実行する前に行われる。このように、放電プラグ１３の電極１３ａ，１３ｂ間にリッチ混合気が偏在する時期を予め推定することで、効率良く上記抑制種を生成することができる。
【００７３】
次に、上記抑制種生成制御を実行する際のＰＣＭ１００の処理動作について、図９を参照して説明する。このフローチャートに基づく処理動作は、エンジン１が作動している間は１燃焼サイクル毎に実行される。以下に説明する処理動作では、放電プラグ１３の電極１３ａ，１３ｂ間に上記リッチ混合気が偏在する時期の推定は、偏在時期推定部１０１により実行される。
【００７４】
まず、ステップＳ１０１において、ＰＣＭ１００は、各センサＳＮ１〜ＳＮ６からの情報を読み込む。
【００７５】
次のステップＳ１０２では、ＰＣＭ１００は、エンジン負荷が所定負荷以上であるか否かを判定する。ＰＣＭ１００は、エンジン負荷が所定負荷以上であるＹＥＳのときには、ステップＳ１０３に進む一方で、エンジン負荷が所定負荷未満であるＮＯのときには、リターンする。
【００７６】
上記ステップＳ１０３では、ＰＣＭ１００は、吸気行程前期においてインジェクタ１４からの燃料噴射を開始する。燃料噴射の終了時期については、エンジン負荷等に基づいて算出された燃料噴射に応じて設定される。
【００７７】
次のステップＳ１０４では、ＰＣＭ１００は、放電プラグ１３の電極１３ａ，１３ｂ間に上記リッチ混合気が偏在する時期を推定する。
【００７８】
続くステップＳ１０５では、ＰＣＭ１００は、上記抑制種生成制御を実行する期間、すなわち、電極１３ａ，１３ｂ間への放電期間を設定する。このステップＳ１０５では、ＰＣＭ１００は、上記ステップＳ４で推定された、電極１３ａ，１３ｂ間への上記リッチ混合気の偏在時期に応じて、電極１３ａ，１３ｂ間への放電期間を設定する。
【００７９】
次のステップＳ１０６では、ＰＣＭ１００は、放電開始時期（放電を開始するクランク角度）になったか否かを判定する。ＰＣＭ１００は、放電開始時期になったＹＥＳのときには、ステップＳ１０７に進む一方で、未だ放電開始時期になっていないＮＯのときには、放電開始時期になるまでステップＳ１０６の判定を繰り返す。
【００８０】
上記ステップＳ１０７では、ＰＣＭ１００は、電極１３ａ，１３ｂ間にパルス電圧を印加して、電極１３ａ，１３ｂ間で放電させる。これにより、非平衡プラズマを生成して、燃焼室６内に上記抑制種を生成する。
【００８１】
次のステップＳ１０８では、ＰＣＭ１００は、上記ステップＳ１０５で設定した放電期間が経過したか否かを判定する。ＰＣＭ１００は、放電期間が経過したＹＥＳのときには、ステップＳ１０９に進む一方で、未だ放電期間が経過していないＮＯのときには、ステップＳ１０７に戻って、放電期間が経過するまで、電極１３ａ，１３ｂ間で放電させる。
【００８２】
上記ステップＳ１０９では、ＰＣＭ１００は、電極１３ａ，１３ｂ間の放電を停止させる。ステップＳ１０９の後はリターンする。
【００８３】
図１０は、上記抑制種生成制御を実行した場合の熱発生の履歴を示す。この図１０において、実線は、上記抑制種生成制御を実行したときの熱発生の履歴であり、破線は、上記抑制種生成制御を実行していないときの熱発生率の履歴である。図１０では、圧縮上死点のクランク角を０°としており、これに対して進角側（圧縮上死点よりも早い時期）をマイナスで表し、遅角側（圧縮上死点よりも遅い時期）をプラスで表している。
【００８４】
図１０に示すように、上記抑制種生成制御を実行することで、着火時期、すなわち、熱発生率が上昇し始める時期が遅角されていることが分かる。これは、上記抑制種が燃焼室６内に存在することによって、燃料の分解が抑制されて、混合気の燃焼が抑制されるためである。また、上記抑制種生成制御を実行したときには、上記抑制種生成制御を実行していないときと比較して、燃焼が緩慢になっていることが分かる。これは、上記抑制種により着火時期が遅くなったことに加えて、上記抑制種により着火後の火炎伝播も抑制されるためである。このように、エンジン１の燃焼抑制要求時に、上記抑制種生成制御によって燃焼室６内に上記抑制種を生成することで、着火時期を遅らせることができる。
【００８５】
したがって、本実施形態１では、エンジン１の運転時において、該エンジン１の燃焼抑制要求時に、所定当量比以上のリッチ混合気が少なくとも局所的に形成されるように、インジェクタ１４により燃焼室６内に燃料を噴射させる燃料噴射制御を実行するとともに、放電プラグ１３の電極１３ａ，１３ｂ間に上記リッチ混合気が存在している期間に、電極１３ａ，１３ｂ間で放電させて非平衡プラズマを生成することで、燃焼室６内での混合気の燃焼を抑制する物質である抑制種を生成する抑制種生成制御を実行するため、効率良く上記抑制種を生成することができ、生成された上記抑制種によって、エンジン１の燃焼抑制要求時に、着火時期を遅らせることができる。
【００８６】
また、本実施形態１では、圧縮行程後期において、ピストン５の上昇流と吸気の噴き戻しとによって、上記リッチ混合気が上昇して、放電プラグ１３の電極１３ａ，１３ｂ間に上記リッチ混合気が偏在する時期に、非平衡プラズマを生成する（電極１３ａ，１３ｂ間で放電する）ため、上記抑制種をより効率的に生成することができる。これにより、エンジン１の燃焼抑制要求時に、より効率的に着火時期を遅らせることができる。
【００８７】
さらに、本実施形態１では、非平衡プラズマを生成する（電極１３ａ，１３ｂ間で放電する）よりも前に、圧縮行程後期において、放電プラグ１３の電極１３ａ，１３ｂ間に上記リッチ混合気が偏在する時期を推定するため、一層効率良く上記抑制種を生成することができる。これにより、エンジンの燃焼抑制要求時に、さらに効率的に着火時期を遅らせることができる。
【００８８】
（実施形態２）
以下、実施形態２について、図面を参照しながら詳細に説明する。尚、以下の説明において実施形態１と共通の部分については、同じ符号を付して、その詳細な説明を省略する。
【００８９】
本実施形態２では、エンジン本体１ａにおける、放電プラグ２１３とインジェクタ２１４との配置が上記実施形態１とは異なる。具体的には、本実施形態２では、放電プラグ２１３は、インジェクタ２１４からの燃料の噴射角度に応じて配設されている。より詳しくは、図１１に示すように、放電プラグ２１３は、インジェクタ２１４から噴射中の燃料の少なくとも一部が電極２１３ａ，２１３ｂ間を通るように配設されている。これにより、インジェクタ２１４から燃料が噴射されている間は、電極２１３ａ，２１３ｂ間には、所定当量比以上のリッチ混合気が偏在することになる。つまり、本実施形態２でも、ＰＣＭ１００は、上記リッチ混合気が少なくとも局所的に形成されるように、インジェクタ２１４により燃焼室６内に燃料を噴射させる燃料噴射制御を実行する。より詳しくは、ＰＣＭ１００は、上記燃料噴射制御において、放電プラグ２１３の電極２１３ａ，２１３ｂ間に上記リッチ混合気が偏在可能なように、燃焼室６内に燃料を噴射させる。
【００９０】
また、本実施形態２では、エンジン１の制御系統が上記実施形態１とは異なる。具体的には、本実施形態２では、図１２に示すように、ＰＣＭ１００が偏在時期推定部を有していない。
【００９１】
さらに、本実施形態２では、エンジン１の運転状態が、エンジン負荷が所定負荷以上の高負荷であるときの放電態様及び燃料噴射態様が、上記実施形態１とは異なる。図１３には、エンジン１の運転状態が高負荷領域であるときの放電態様及び燃料噴射態様の一例を示している。図１３では、圧縮上死点のクランク角を０°としており、これに対して進角側（圧縮上死点よりも早い時期）をマイナスで表し、遅角側（圧縮上死点よりも遅い時期）をプラスで表している。図１３において、吸気行程は−３６０°〜−１８０°の期間であり、圧縮行程は、−１８０°〜０°の期間である。
【００９２】
高負荷領域では、図１３に示すように、ＰＣＭ１００は、吸気行程中にインジェクタ２１４から燃料を噴射する。そして、インジェクタ２１４による燃料の噴射と同期して、インジェクタ２１４から噴射中の燃料が放電プラグ２１３の電極２１３ａ，２１３ｂ間に位置している時期に、電極２１３ａ，２１３ｂ間で放電させて、燃焼室６内での混合気の燃焼を抑制する物質である抑制種を生成する。つまり、本実施形態２では、ＰＣＭ１００は、燃料噴射制御と抑制種生成制御とを同期して実行する。このため、電極２１３ａ，２１３ｂ間に上記リッチ混合気が偏在する時期は、インジェクタ１４による燃料の噴射時期であり、本実施形態２では、特に上記リッチ混合気が偏在する時期を推定する必要がない。
【００９３】
上述したように、放電プラグ２１３は、インジェクタ２１４から噴射中の燃料の少なくとも一部が電極２１３ａ，２１３ｂ間を通るように配設されており、インジェクタ２１４から燃料が噴射されている間は、電極２１３ａ，２１３ｂ間には上記リッチ混合気が形成される。このため、インジェクタ２１４による燃料の噴射と同期して、電極２１３ａ，２１３ｂ間で放電させれば、効率良く上記抑制種を生成することができる。
【００９４】
次に、本実施形態２において、抑制種生成制御を実行する際のＰＣＭ１００の処理動作について、図１４を参照して説明する。このフローチャートに基づく処理動作は、エンジン１が作動している間は１燃焼サイクル毎に実行される。
【００９５】
まず、ステップＳ２０１において、ＰＣＭ１００は、各センサＳＮ１〜ＳＮ６からの情報を読み込む。
【００９６】
次のステップＳ２０２では、ＰＣＭ１００は、エンジン負荷が所定負荷以上であるか否かを判定する。ＰＣＭ１００は、エンジン負荷が所定負荷以上であるＹＥＳのときには、ステップＳ２０３に進む一方で、エンジン負荷が所定負荷未満であるＮＯのときには、リターンする。
【００９７】
上記ステップＳ２０３では、ＰＣＭ１００は、吸気行程前期においてインジェクタ２１４からの燃料噴射を開始する。燃料噴射の終了時期については、エンジン負荷等に基づいて算出された燃料噴射に応じて設定される。
【００９８】
次のステップＳ２０４では、ＰＣＭ１００は、上記抑制種生成制御を実行して、放電プラグ２１３の電極２１３ａ，２１３ｂ間での放電を開始させる。
【００９９】
次のステップＳ２０５では、ＰＣＭ１００は、インジェクタ２１４による燃料噴射が完了したか否かを判定する。ＰＣＭ１００は、燃料噴射が完了したＹＥＳのときには、ステップＳ２０６に進む一方で、未だ放電開始時期になっていないＮＯのときには、燃料噴射が完了するまで、電極２１３ａ，２１３ｂ間での放電を継続させる。
【０１００】
上記ステップＳ２０６では、ＰＣＭ１００は、電極２１３ａ，２１３ｂ間での放電を停止させる。ステップＳ２０６の後はリターンする。
【０１０１】
したがって、本実施形態２では、放電プラグ２１３は、インジェクタ２１４から噴射中の燃料が電極２１３ａ，２１３ｂ間を通るように、エンジン１に配設されており、インジェクタ２１４から噴射中の燃料が電極２１３ａ，２１３ｂ間に位置している時期に上記抑制種生成制御を実行するため、効率良く上記抑制種を生成することができ、生成された上記抑制種によって、エンジン１の燃焼抑制要求時に、着火時期を遅らせることができる。
【０１０２】
（その他の実施形態）
ここに開示された技術は、上記実施形態に限られるものではなく、請求の範囲の主旨を逸脱しない範囲で代用が可能である。
【０１０３】
例えば、上述の実施形態１では、放電プラグ１３の電極１３ａ，１３ｂ間に上記リッチ混合気が偏在する時期を推定していたが、これに限らず、放電プラグ１３の電極１３ａ，１３ｂ間に上記リッチ混合気があるか否かを検出するようにしてもよい。具体的には、ＰＣＭ１００に、図１５に示すような、電極１３ａ，１３ｂ間の混合気の空燃比を検出するためのマップを予め格納させておく。次に、筒内圧センサＳＮ６の検出結果から、空燃比の推定に利用する直線を決定させる。次いで、非平衡プラズマを生成するためのパルス電圧を電極１３ａ，１３ｂ間に印加した際に生じるイオン電流を測定する。その後、測定したイオン電流の値をマップに当てはめて、電極１３ａ，１３ｂ間の混合気の空燃比を求める。これにより、電極１３ａ，１３ｂ間の混合気の空燃比を検出することができる。そして、検出された空燃比から当量比を算出すれば、電極１３ａ，１３ｂ間の混合気が上記リッチ混合気であるか否かを判定することができる。これにより、放電プラグ１３の電極１３ａ，１３ｂ間に上記リッチ混合気があるか否かを検出することができる。
【０１０４】
また、上述の実施形態２でも、上記のように、放電プラグ２１３の電極２１３ａ，２１３ｂ間に上記リッチ混合気があるか否かを検出するようにしてもよい。
【０１０５】
さらに、上述の実施形態１及び２を組み合わせてもよい。すなわち、インジェクタ１４（２１４）による燃料の噴射と同期して、放電プラグ１３（２１３）の電極１３ａ，１３ｂ（２１３ａ，２１３ｂ）間で放電して、上記抑制種を生成するとともに、圧縮行程後期において、電極１３ａ，１３ｂ（２１３ａ，２１３ｂ）間に上記リッチ混合気が偏在する時期にも、該電極１３ａ，１３ｂ（２１３ａ，２１３ｂ）間で放電して、上記抑制種を生成するようにしてもよい。特に、エンジン１の運転状態が、エンジン回転数が高い領域にあるときには、吸気行程及び圧縮行程の実時間（ピストン５が移動する時間）が短いため、十分な量の上記抑制種を生成するために、吸気行程及び圧縮行程の両方で上記抑制種を生成することが好ましい。
【０１０６】
上述の実施形態は単なる例示に過ぎず、本開示の範囲を限定的に解釈してはならない。本開示の範囲は請求の範囲によって定義され、請求の範囲の均等範囲に属する変形や変更は、全て本開示の範囲内のものである。
【産業上の利用可能性】
【０１０７】
ここに開示された技術は、燃焼室が形成された気筒と、該気筒に嵌挿されたピストンの往復動により回転駆動されるクランクシャフトと、上記燃焼室内に燃料を噴射する燃料噴射手段とを備え、上記燃料噴射手段により噴射された燃料によって形成される混合気を上記燃焼室内で燃焼させるエンジンに有用である。
【符号の説明】
【０１０８】
１      エンジン
５      ピストン
６      燃焼室
７      クランクシャフト
１３    放電プラグ（プラズマ生成手段）
１３ａ  中心電極（プラズマ生成手段の電極）
１３ｂ  接地電極（プラズマ生成手段の電極）
１４    インジェクタ（燃焼噴射手段）
１００  ＰＣＭ（制御手段）
【図１】
2019203400.tif 000003
【図２】
2019203400.tif 000004
【図３】
2019203400.tif 000005
【図４】
2019203400.tif 000006
【図５】
2019203400.tif 000007
【図６】
2019203400.tif 000008
【図７】
2019203400.tif 000009
【図８】
2019203400.tif 000010
【図９】
2019203400.tif 000011
【図１０】
2019203400.tif 000012
【図１１】
2019203400.tif 000013
【図１２】
2019203400.tif 000014
【図１３】
2019203400.tif 000015
【図１４】
2019203400.tif 000016
【図１５】
2019203400.tif 000017